(57)【特許請求の範囲】
【請求項１】
基材を有し着座者を支える座を脚側に支持された被取付部から分離可能に設け、前記被取付部に前記座を当てて外部に露出しているバックル機構によって取り外し可能に固定し、前記バックル機構は、揺動体を揺動させて前記固定とその解除を行うものであり、前記固定の解除は、前記揺動体を、前記座を前記被取付部から外す方向と異なる方向に起こして行うものであり、前記被取付部の内部に前記座を蓋にした収納スペースが設けられていることを特徴とする事務用椅子。
【請求項２】
前記バックル機構は、前記座と前記被取付部とのいずれか一方に設けられた前記揺動体と、いずれか他方に設けられ、前記揺動体の係止部の揺動軌跡上に突出する突部を有し、前記揺動体が倒されて前記係止部が前記突部に嵌ることで前記揺動体の起立防止と前記固定が行われ、前記揺動体が前記外す方向と異なる方向に起こされて前記係止部が前記突部から外れることで前記固定が解除されることを特徴とする請求項１記載の事務用椅子。
【請求項３】
前記バックル機構は、前記座と前記被取付部とのいずれか一方に設けられた前記揺動体と、いずれか他方に設けられた突部と、前記揺動体に揺動自在に設けられ、前記突部に引っ掛け可能な引っ掛け部材とを備え、前記引っ掛け部材を前記突部に引っ掛けた状態で前記揺動体がその思案点を超えて倒れると前記固定が行われ、前記揺動体がその思案点を超えて前記外す方向と異なる方向に起こされると前記引っ掛け部材が前記突部から外れて前記固定が解除されることを特徴とする請求項１記載の事務用椅子。
【発明の詳細な説明】
【技術分野】
【０００１】
本発明は事務用椅子に関する。更に詳述すると、本発明は座をワンタッチで取り付け、取り外しできる事務用椅子に関するものである。
【背景技術】
【０００２】
背や座のクッション体の取り替えを可能にした椅子として、例えば特開２００３−２２５１３９号公報に記載された椅子がある。この椅子の背の取り付け構造を図２１〜図２３に示す。背のクッション体１０１の上部裏面には、内向きに開口する袋状表皮部材１０２と、内向きの係合爪１０３を備えた支持板１０４が設けられている。また、クッション体１０１の下部裏面には、有頭軸１０５を突設した支持板１０６が設けられている。一方、背もたれのシェル１０７の上部には係合爪１０３に係合可能な外向きの係合爪１０８が、下部には有頭軸１０５を取り外し可能に係止する係止孔１０９が設けられている。
【０００３】
係止孔１０９は、図２３に示すように、大径部と小径部とから成るだるま形状の孔であり、クッション体１０１を手で下向きに引張りながら有頭軸１０５を大径部に挿入し、その後、手を離して有頭軸１０５を小径部に移動させることで、有頭軸１０５が係止孔１０９から抜けるのを防止される。
【０００４】
クッション体１０１の袋状表皮部材１０２をシェル１０７の上部に被せてその内部で係合爪１０８，１０３同士を係合させると共に、有頭軸１０５を係止孔１０９に嵌め込むことでクッション体１０１をシェル１０７に取り外し可能に取り付けている。
【０００５】
また、このような取り付け構造は背だけではなく、座において適用可能である。
【０００６】
【特許文献１】特開２００３−２２５１３９号
【発明の開示】
【発明が解決しようとする課題】
【０００７】
しかしながら、上述の椅子では、クッション体１０１の下部に設けた有頭軸１０５を係止孔１０９に挿入することでクッション体１０１をシェル１０７に固定しているので、クッション体１０１をシェル１０７に対してあまり強く固定することができない。例えば、運搬のためにクッション体１０１を掴んで椅子を持ち上げた場合等には、その重みによって有頭軸１０５が係止孔１０９の小径部から大径部に移動して外れ、クッション体１０１がシェル１０７から外れる虞がある。
【０００８】
本発明は、座の取り付け・取り外しの容易性を確保しつつ、座が不用意に外れることがない事務用椅子を提供することを目的とする。
【課題を解決するための手段】
【０００９】
かかる目的を達成するために、請求項１記載の事務用椅子は、基材を有し着座者を支える座を脚側に支持された被取付部から分離可能に設け、被取付部に座を当てて、外部に露出しているバックル機構によって取り外し可能に固定し、バックル機構は、揺動体を揺動させて固定とその解除を行うものであり、固定の解除は、揺動体を、座を被取付部から外す方向と異なる方向に起こして行うものであり、被取付部の内部に座を蓋にした収納スペースが設けられているものである。したがって、バックル機構の操作によってワンタッチで座を被取付部に対して取り付けたり、取り外したりすることができる。
【００１０】
また、請求項２記載の事務用椅子は、バックル機構は、座と被取付部とのいずれか一方に設けられた揺動体と、いずれか他方に設けられ、揺動体の係止部の揺動軌跡上に突出する突部を有し、揺動体が倒されて係止部が突部に嵌ることで揺動体の起立防止と固定が行われ、揺動体が前記外す方向と異なる方向に起こされて係止部が突部から外れることで固定が解除されるものである。したがって、被取付部に対して座を当てた状態でバックル機構の揺動体を倒すと、揺動体の係止部が突部を乗り越えて嵌り、揺動体の戻りを防止する。この状態では、バックル機構によって座が被取付部に固定されている。そして、バックル機構の揺動体を起こして係止部を突部から外すと、バックル機構による座の拘束が解かれてフリーとなる。この状態で、座を交換することができる。
【００１１】
また、請求項３記載の事務用椅子は、バックル機構は、座と被取付部とのいずれか一方に設けられた揺動体と、いずれか他方に設けられた突部と、揺動体に揺動自在に設けられ、突部に引っ掛け可能な引っ掛け部材とを備え、引っ掛け部材を突部に引っ掛けた状態で揺動体がその思案点を超えて倒れると固定が行われ、揺動体がその思案点を超えて前記外す方向と異なる方向に起こされると引っ掛け部材が突部から外れて固定が解除されるものである。したがって、被取付部に対して座を当てた状態でバックル機構の引っ掛け部材を突部に引っ掛けて揺動体を倒すと、引っ掛け部材が突部を締め付け、座が被取付部に固定される。この状態では、バックル機構の揺動体は思案点を超えており、解除操作しなければ揺動体が思案点を超えて起きることはない。そして、バックル機構の揺動体を解除操作して起こし、引っ掛け部材を突部から外すと、バックル機構による座の拘束が解かれてフリーとなる。この状態で、座を交換することができる。
【発明の効果】
【００１４】
請求項１記載の事務用椅子では、基材を有する座を独立した構成とし、外部に露出しているバックル機構によって被取付部に座を固定しているので、ワンタッチ操作によって簡単に座を固定したり固定解除したりすることができ、座の交換を容易に行うことができる。また、バックル機構による固定であり、被取付部から座を外す方向に強い力が作用してもバックル機構が外れて座の固定が解除されることはない。このため、事務用椅子の使い勝手を損なうことがない。即ち、座の交換の容易性と事務用椅子の使い勝手を両立させることができる。
【００１５】
このように座の交換が容易であることから、事務用椅子の専門家でないエンドユーザ等であっても座を簡単に交換することができる。したがって、座の大きさ、形状、クッション材の厚さや硬度などをエンドユーザ等が好みに合わせて取り替えることができる。また、汚れた場合の交換、季節等に応じての交換、室内空間とのデザイン的な調和のための交換等を目的として座を簡単に取り替えることができる。また、事務用椅子の構成部材で最も寿命が短いものの１つは座であり、座のみの交換によって事務用椅子を廃棄せずに使い続けることができるので、廃棄物の量を減らすとができ、環境問題への対応が可能である。さらに、座を単体で販売する等、従来にない事務用椅子の販売手法をとることができる。
また、被取付部の内部の収納スペースに小物類等を片付けることができるので、事務用椅子の使い勝手を向上させることができる。しかも、収納スペースの蓋となる座を被取付部に固定することで、通常の事務用椅子と同様に使用することができる。
【００１６】
また、請求項２，３記載の事務用椅子では、揺動体の操作によって座の固定と固定解除を簡単に行うことができるので、座の交換を簡単に行うことができる。
【発明を実施するための最良の形態】
【００１９】
以下、本発明の構成を図面に示す最良の形態に基づいて詳細に説明する。
【００２０】
図１〜図９に、本発明の事務用椅子の実施形態の一例を示す。事務用椅子（以下、単に椅子という）は、基材３４を有し着座者を支える身体支持体２を脚３２側に支持された被取付部１から分離可能に設け、被取付部１に身体支持体２を当てて外部に露出しているバックル機構３によって取り外し可能に固定したものである。
【００２１】
身体支持体２は着座者の体を支えるものであり、例えば、座、背、肘掛け、ヘッドレスト、フットレスト等であり、これらのいずれか一つについて適用しても良いし、二つ以上について適用しても良い。本実施形態では、座と背の両方に適用した場合を例にして説明する。また、被取付部１は脚３２側に支持されて身体支持体２を支持するものであり、身体支持体２が座の場合は例えば座受け部材、アウターシェル等の座が取り付けられてこれを支持する部材、身体支持体２が背の場合は例えば背フレーム、背支桿等の背が取り付けられてこれを支持する部材、身体支持体２が肘掛けの場合は例えばフレーム等の肘掛けが取り付けられてこれを支持する部材、身体支持体２がヘッドレストの場合はフレーム等のヘッドレストが取り付けられてこれを支持する部材、身体支持体２がフットレストの場合はフレーム等のフットレストが取り付けられてこれを支持する部材である。
【００２２】
まず最初に、座への適用について説明する。座としての身体支持体２は基材３４を有しており、身体支持体２としての形状が維持されて被取付部１から分離可能な独立した構成となっている。ここでの基材３４は座本体７のインナーシェル７ａである。また、被取付部１はアウターシェルである。
【００２３】
バックル機構３は、例えば図３〜図５に示すように、身体支持体２と被取付部１とのいずれか一方に設けられた揺動体４と、いずれか他方に設けられ、揺動体４の係止部４ａの揺動軌跡上に突出する突部５を有し、揺動体４が倒されて係止部４ａが突部５に嵌ることで揺動体４の起立防止と固定が行われ、揺動体４が外す方向Ｘと異なる方向Ｙに起こされて係止部４ａが突部５から外れることで身体支持体２の固定が解除される。本実施形態では、被取付部１に揺動体４を取り付け、身体支持体２に突部５を設けている。ただし、被取付部１に突部５を設け、身体支持体２に揺動体４を取り付けても良い。
【００２４】
バックル機構３は、例えば被取付部１の両方の側面１ａにそれぞれ一つずつ設けられている。ただし、バックル機構３の数は各側面１ａに対して一つずつに限るものではなく、各側面１ａに対してそれぞれ複数個ずつ設けても良い。また、片方の側面１ａにのみバックル機構３を設け、もう片方の側面１ａまたはその近傍を例えばフックによって引っ掛けて固定するようにしても良い。さらに、側面１ａに代えて他の位置、例えば前面と後面等にバックル機構３を設けても良い。
【００２５】
揺動体４は、例えば上端縁に係止部４ａが設けられた操作板４ｂと、この操作板４ｂの両側に設けられた側板４ｃ，４ｃ（片方のみ図示）より構成されている。係止部４ａは椅子の内側に向けて突出している。揺動体４は、例えば樹脂によって一体成形され、係止部４ａが突部５を乗り越えることが可能な程度に弾性変形可能である。各側板４ｃは被取付部１の側面１ａに設けられた膨出部３３を両脇から挟むように配置され、各側板４ｃの下部は膨出部３３の側面３３ａにシャフト６によって揺動自在に取り付けられている。
【００２６】
身体支持体２は、例えば基材３４としてのインナーシェル７ａにクッション材７ｂを重ねて表皮部材７ｃで覆った座本体７と、座本体７の底面に取り付けられた載せ部材８より構成されている。載せ部材８は、例えば被取付部１に蓋をするように載せられるものであり、載せ部材８の両方の側板８ａには椅子の幅方向に突出する段部８ｂが形成されている。段部８ｂは膨出部３３に被さるように形成されている。段部８ｂの角は、揺動体４の係止部４ａの揺動軌跡上に突出する突部５となっている。また、段部８ｂの上にはストッパ８ｃが設けられている。
【００２７】
次に、身体支持体２の被取付部１への固定と、その固定の解除について説明する。なお、バックル機構３を締め付ける方向に揺動体４を揺動させることを倒すといい、バックル機構３を外す方向に揺動体４を揺動させることを起こすという。
【００２８】
図４に示すように、左右のバックル機構３の揺動体４を起こした状態で、被取付部１の上に身体支持体２の載せ部材８を被せる。そして、図５に示すように揺動体４を突部５側に倒すと、即ち、本実施形態では揺動体４を下から上に向けて揺動させると、揺動体４の係止部４ａが突部５を乗り越えてストッパ８ｃに当たり、突部５とストッパ８ｃの間に嵌って締結される。これにより、バックル機構３は被取付部１に身体支持体２を固定する。このように、身体支持体２をワンタッチで固定することができる。
【００２９】
揺動体４の係止部４ａは突部５を椅子の幅方向から乗り越えており、揺動体４を起こすためには当該揺動体４を椅子の幅方向、即ち、被取付部１から身体支持体２を外す方向Ｘとは異なる方向Ｙに揺動させる必要がある。このため、係止部４ａに上方向の力が作用しても揺動体４を揺動させることはできない。即ち、座本体７を掴んで持ち上げてもバックル機構３の固定が意図せずに解除されることはない。特に、本実施形態では、揺動体４を起こす方向は、座本体７の下に手を差し込む方向と逆の方向であり、座本体７を掴んで持ち上げる場合にバックル機構３の固定が意図せずに解除されることが生じ難くなっている。
【００３０】
身体支持体２の固定はバックル機構３による固定であり、身体支持体２を強固に固定することができる。特に、本実施形態では、揺動体４によって段部８ｂを抱え込むようにして固定を行うので、身体支持体２の固定はより一層強固なものとなる。
【００３１】
バックル機構３による固定を解除する場合には、揺動体４を椅子の幅方向外側に揺動させて起こせば良い。揺動体４を起こすことで、係止部４ａが突部５を乗り越えて外れ、ワンタッチ操作で身体支持体２の固定を解除することができる。
【００３２】
次に、背への適用について説明する。背としての身体支持体２は基材３４を有しており、身体支持体２としての形状が維持されて被取付部１から分離可能な独立した構成となっている。ここでの基材３４は芯材１２である。また、被取付部１は背フレームである。この場合のバックル機構３でも、被取付部１に揺動体４を取り付け、身体支持体２に突部５を設けているが、被取付部１に突部５を設け、身体支持体２に揺動体４を取り付けても良い。
【００３３】
バックル機構３は、例えば被取付部１の下端中央に一つ設けられている。ただし、バックル機構３の数は一つに限るものではなく、複数個設けても良い。また、バックル機構３を設ける位置は被取付部１の下端中央に限るものではなく、その他の位置に設けても良い。
【００３４】
揺動体４は、例えば図６〜図８に示すように、板状の係止部４ａと、この係止部４ａの両端に設けられた側板４ｃ，４ｃ（片方のみ図示）より構成されている。揺動体４は、例えば樹脂によって一体成形され、係止部４ａが突部５を乗り越えることが可能な程度に弾性変形可能である。各側板４ｃの上部はシャフト６によって被取付部１に対して揺動自在に取り付けられる。シャフト６の両端は、例えば被取付部１の後面に設けられた凸部１０に外れないように支持されている。
【００３５】
椅子の背である身体支持体２は基材３４としての芯材１２にクッション材１１を重ねて表皮部材１３で覆ったもので、その裏面の下端の揺動体４に対向する位置には板状弾性体１４が例えばブラインドリベット１５により固定されている。板状弾性体１４の下端は後方に丸められており、被取付部１である背フレームの下端に嵌る凹部１４ａとなっている。凹部１４ａの下端が揺動体４の係止部４ａの揺動軌跡上に突出する突部５となっている。
【００３６】
本実施形態では、バックル機構３は身体支持体２の下部を固定する。身体支持体２の上部は、例えば図９に示すように表皮部材１３に袋状部１３ａを形成し、被取付部１の上部に被せることでワンタッチの取り付け、取り外しを可能にしている。
【００３７】
次に、身体支持体２の被取付部１への固定と、その固定の解除について説明する。まず最初に、図９に示すように表皮部材１３の袋状部１３ａを被取付部１の上部に被せながら身体支持体２を被取付部１の前面に重ね合わせ、板状弾性体１４を弾性変形させて凹部１４ａを被取付部１の下端に嵌め込む（図７、図８）。そして、図６に示すように揺動体４を突部５側に倒して係止部４ａを突部５に嵌める。これにより、バックル機構３は被取付部１に身体支持体２の下部を固定する。このように簡単な操作で身体支持体２の下部を固定することができる。また、身体支持体２全体の取付構造としても、上部は袋状部１３ａを被取付部１に被せるだけであり、下部はバックル機構３による固定であるので、極めて簡単に身体支持体２を被取付部１に固定することができる。
【００３８】
身体支持体２の上部は袋状部１３ａを被取付部１に被せることで固定されているので、下部のバックル機構３を外さない限り上部も外れることがない。
【００３９】
揺動体４の係止部４ａは突部５に椅子の後側から嵌め込まれており、揺動体４を起こすためには当該揺動体４を後ろ向き、即ち、被取付部１から身体支持体２を外す方向Ｘとは異なる方向Ｙに揺動させる必要がある。このため、係止部４ａに前向きの力や上向きの力が作用しても揺動体４を揺動させることはできない。即ち、椅子の後側から身体支持体２の両側下部を掴んで椅子を持ち上げてもバックル機構３の固定が意図せずに解除されることはない。特に、本実施形態では、板状弾性体１４の凹部１４ａが被取付部１の下端に前側から嵌る構造であり、板状弾性体１４の凹部１４ａを被取付部１から外すためには板状弾性体１４に前向きの力を作用させる必要があり、この前向きの力は揺動体４の係止部４ａをより突部５に押し付ける方向の力となり、意図しない固定解除がより一層生じ難くなっている。また、座の存在によって背の下に手を差し込む場合には椅子の後側から差し込むのが一般的であり、後側からの差し込みは揺動体４を起こす方向と逆の方向であり、この点からもバックル機構３の固定が意図せずに解除されることが生じ難くなっている。
【００４０】
身体支持体２の固定はバックル機構３による固定であり、身体支持体２を強固に固定することができる。
【００４１】
バックル機構３による固定を解除する場合には、揺動体４を椅子の後ろ方向に揺動させて起こした後、板状弾性体１４を弾性変形させながら被取付部１の下端から凹部１４ａを外せば良い。このように簡単な操作で身体支持体２の固定を解除することができる。その後、身体支持体２を持ち上げて袋状部１３ａを被取付部１の上部から抜くことで、身体支持体２を簡単に取り外すことができる。
【００４２】
本発明の椅子は、座や背等の身体支持体２の取り付け・取り外しを極めて簡単に行うことができるので、例えばエンドユーザでも身体支持体２を簡単に交換することができる。また、日常生活で一般的に使い慣れているバックル機構３を使用しているので、操作の仕方を知らない者であってもその操作の仕方が直感的にわかり、わかり易くて使い良い椅子を提供することができる。
【００４３】
身体支持体２として、例えば夏用の風通しの良いものと、冬用の暖かいものとを準備しておくことで、季節の変化に応じて身体支持体２を交換し、年間を通じて椅子を快適に使用することができる。また、身体支持体２として、色、形状等のデザインや大きさ、材質等の異なるものを複数準備しておくことで、例えばオフィス等の雰囲気や気分等に応じて身体支持体２を交換することができる。
【００４４】
椅子の構成部材の中では、身体支持体２が最も汚れ易くまた傷み易いことから最初に駄目になり易い。本発明の椅子は、身体支持体２の交換が容易であるので、駄目になった身体支持体２のみを交換することができ、交換によって椅子を長期にわたり使い続けることができる。そのため、廃棄物を減らすことができ、地球環境に優しい椅子を提供することができると共に、低コストで使い続けることができる椅子を提供することができる。
【００４５】
椅子としては、例えば事務用椅子、学習椅子、家庭用椅子、食卓用の椅子、回転椅子、固定椅子、劇場椅子、車両用椅子など、椅子全般への適用が可能である。
【００４６】
なお、上述の形態は本発明の好適な形態の一例ではあるがこれに限定されるものではなく本発明の要旨を逸脱しない範囲において種々変形実施可能である。
【００４７】
例えば、上述の説明では、バックル機構３の揺動体４を被取付部１または身体支持体２と別部材にしていたが、揺動体４を被取付部１または身体支持体２に一体成形しても良い。この場合、揺動体４の付け根部分を例えば樹脂ヒンジとし、揺動体４を折り返すように倒して係止部４ａを被取付部１または身体支持体２に設けた突部５の裏側に嵌め込むことで、身体支持体２を被取付部１に固定することができる。
【００４８】
また、図１０及び図１１に示すように、バックル機構３の揺動体４を板状のものとし、折り返すように倒して係止部４ａを突部５の裏側に嵌め込み、身体支持体２を被取付部１に固定するようにしても良い。この例では、身体支持体２に揺動体４を設け、被取付部１に突部５を設けているが、逆に、身体支持体２に突部５を設け、被取付部１に揺動体４を設けても良い。また、揺動体４に突部５を通すスリット３１を設けることで、係止部４ａを形成している。
【００４９】
また、バックル機構３は上述のものに限らない。バックル機構３は、例えば身体支持体２と被取付部１とのいずれか一方に設けられた揺動体４と、いずれか他方に設けられた突部５と、揺動体４に揺動自在に設けられ、突部５に引っ掛け可能な引っ掛け部材１７とを備え、引っ掛け部材１７を突部５に引っ掛けた状態で揺動体４がその思案点Ｔを超えて倒れると固定が行われ、揺動体４がその思案点Ｔを超えて前記外す方向Ｘと異なる方向Ｙに起こされると引っ掛け部材１７が突部５から外れて固定が解除されるものであっても良い。
【００５０】
この場合の例を図１２〜図１４に示す。揺動体４は、例えば身体支持体２に揺動自在に取り付けられている。突部５は、例えば被取付部１に設けられている。突部５の揺動体４とは反対側の面５ａに、例えば溝１６が設けられている。引っ掛け部材１７はループ状をなし、揺動体４に揺動自在に連結されている。
【００５１】
バックル機構３を締め付けて固定を行う場合には、図１４に示すように、バックル機構３の揺動体４を起こした状態で、被取付部１の上に身体支持体２を載せる。そして、図１２に示すように引っ掛け部材１７のループ部分を突部５の溝１６に引っ掛けて揺動体４を倒す。これにより、引っ掛け部材１７が突部５を揺動体４側に相対的に引き寄せる。揺動体４はその思案点Ｔを超えて揺動するので、解除操作をしなければ起き上がることがない。これにより、バックル機構３は被取付部１に身体支持体２を固定する。即ち、身体支持体２を簡単に固定することができる。
【００５２】
このバックル機構３でも、揺動体４を起こすためには当該揺動体４を被取付部１から身体支持体２を外す方向Ｘとは異なる方向Ｙに揺動させる必要があり、身体支持体２を掴んで持ち上げてもバックル機構３の固定が意図せずに解除されることはない。また、身体支持体２の固定はバックル機構３による固定であり、身体支持体２を強固に固定することができる点も上述のバックル機構３と同様である。
【００５３】
バックル機構３による固定を解除する場合には、揺動体４を椅子の幅方向外側に揺動させて起こせば良い。揺動体４がその思案点Ｔを超えて揺動することで、引っ掛け部材１７が突部５から外れ、ワンタッチ操作で身体支持体２の固定を解除することができる。
【００５４】
また、バックル機構３を例えば図１５に示すように挿入式のものにしても良い。このバックル機構３は、身体支持体２と被取付部１とのいずれか一方に設けられた係合凸部２２と、いずれか他方に設けられ、係合凸部２２が係合する係合凹部２３を備えている。本実施形態では、身体支持体２に係合凸部２２を設け、被取付部１に係合凹部２３を設けている。ただし、被取付部１に係合凸部２２を設け、身体支持体２に係合凹部２３を設けても良い。
【００５５】
係合凸部２２は例えば弾性アーム２４の先端に設けられており、弾性アーム２４を例えばベルト２５によって身体支持体２に連結することで、係合凸部２２を身体支持体２に設けている。本実施形態では、２本の弾性アーム２４の先端に係合凸部２２を形成することで２つの係合凸部２２を互いに反対向きに設けている。ただし、係合凸部２２の数は２つに限るものではなく、１つあるいは３つ以上でも良い。また、２つの係合凸部２２の向きを反対向きにしなくても良い。弾性アーム２４には、弾性変形させる場合に押し込み操作される操作凸部２４ａが形成されている。係合凹部２３は係合凸部２２に対応して設けられており、例えば箱体２６の両側板２６ａに設けられている。箱体２６を例えばベルト２７によって被取付部１に連結することで、係合凹部２３を被取付部１に設けている。
【００５６】
身体支持体２を被取付部１に固定する場合には、２本の弾性アーム２４を箱体２６内に挿入すれば良い。弾性アーム２４の先端面はテーパー面２４ｂとなっており、箱体２６内への挿入によって２本の弾性アーム２４は間隔を狭める方向に弾性変形する。そして、係合凸部２２が係合凹部２３に対向すると、２本の弾性アーム２４の間隔が拡がって係合凸部２２が係合凹部２３に嵌り込む。これにより、弾性アーム２４と箱体２６とが強固に連結され、身体支持体２が被取付部１に固定される。
【００５７】
身体支持体２の固定を解除する場合には、２本の弾性アーム２４の間隔を狭める方向に各操作凸部２４ａを押し込んで（解除操作）係合凸部２２を係合凹部２３から外し、この状態で弾性アーム２４を箱体２６内から引き抜く。これにより弾性アーム２４と箱体２６との連結が解除され、身体支持体２の固定が解除される。
【００５８】
このバックル機構３でも、身体支持体２の固定を解除するためには、弾性アーム２４を被取付部１から身体支持体２を外す方向Ｘとは異なる方向Ｙに弾性変形させる必要があり、身体支持体２を掴んで持ち上げてもバックル機構３の固定が意図せずに解除されることはない。また、身体支持体２の固定はバックル機構３による固定であり、身体支持体２を強固に固定することができる点も上述のバックル機構３と同様である。
【００５９】
また、上述の説明では、背に適用する場合、袋状部１３ａとバックル機構３との組み合わせによって身体支持体２を被取付部１に固定していたが、座に適用した場合と同様に、袋状部１３ａを利用する代わりに複数のバックル機構３によって背を固定するようにしても良い。
【００６０】
また、上述の説明では、座に適用する場合、複数のバックル機構３によって固定していたが、背に適用した場合と同様に、袋状部１３ａとバックル機構３との組み合わせによって固定するようにしても良い。
【００６１】
また、上述の袋状部１３ａに代えて、引っ掛け位置決め機構（フック）２８を使用しても良い。引っ掛け位置決め機構２８は、例えば図１６に示すように、被取付部１と身体支持体２のいずれか一方に設けられた引っ掛け部材２９と、いずれか他方に設けられた止め部材３０より構成されている。本実施形態では、被取付部１に止め部材３０を設け、身体支持体２に引っ掛け部材２９を設けている。ただし、被取付部１に引っ掛け部材２９を設け、身体支持体２に止め部材３０を設けても良い。止め部材３０に引っ掛け部材２９を引っ掛けた状態でバックル機構３を締め付けると、被取付部１に身体支持体２を固定することができる。
【００６２】
例えば、座の固定に引っ掛け位置決め機構２８を使用する場合には、例えば身体支持体２の前部を引っ掛け位置決め機構２８によって位置決めし、身体支持体２の後部をバックル機構３によって固定すること、あるいは身体支持体２の後部を引っ掛け位置決め機構２８によって位置決めし、身体支持体２の前部をバックル機構３によって固定することが考えられる。これらの場合、例えば身体支持体２の前部または後部の中央１箇所を引っ掛け位置決め機構２８によって位置決めし、身体支持体２の後部または前部の両側２箇所をバックル機構３によって固定することが考えられる。座に適用する場合に代えて背に適用する場合も同様である。
【００６３】
また、座に適用する場合には、被取付部１の内部に身体支持体２を蓋にした収納スペース１８を設けても良い。収納スペース１８の一例を図３に２点鎖線で示す。収納スペース１８を設けることで、例えば小物類等を片付けることができ、椅子の使い勝手を向上させることができる。しかも、収納スペース１８の蓋となる身体支持体２を被取付部１に固定することで、通常の椅子と同様に使用することができ、椅子としての使い勝手を損なうことがない。
【００６４】
また、前後位置調節機構を設けて身体支持体２の取付位置を前後調節可能にしても良い。座に適用する場合の例を図１７〜図２０に示す。ただし、背、肘掛け、ヘッドレスト、フットレスト等に適用しても良い。載せ部材８の段部８ｂの幅Ｗは、バックル機構３の揺動体４の各側部材４ｆの間隔Ｌよりも短くなっており、各側部材４ｆの間で段部８ｂの位置を前後に調節可能になっている。また、載せ部材８の底面には係合凸部１９が設けられている。
【００６５】
本実施形態の被取付部１は、例えばアウターシェル２０とは別に設けられたフレーム板である。フレーム板は脚３２に固定され、両側の延部１ｂ（片方のみ図示）をアウターシェル２０の外側に位置させている。バックル機構３の揺動体４は、例えば棒状の側部材４ｆ，４ｆの先端に棒状の係止部４ａを架け渡した形状を成し、延部１ｂの両側面に揺動自在に取り付けられている。被取付部１の係合凸部１９に対向する位置には係合スリット２１が設けられている。係合スリット２１は身体支持体２の前後位置の調節段数と同じ数だけ設けられている。即ち、複数の係合スリット２１が前後に並んで設けられている。本実施形態では、身体支持体２の位置を前後２段階に調節可能となっているので、被取付部１には２本の係合スリット２１が前後に並んで設けられている。ただし、位置調節の段数は２段階に限るものではなく、３段階、または４段階以上でも良い。
【００６６】
被取付部１に対して身体支持体２を前寄りの位置に取り付ける場合には、前側の係合スリット２１に係合凸部１９を挿入しながら被取付部１の上に載せ部材８を載せる。これにより、図１９中実線で示すように、延部１ｂの前寄りの位置に段部８ｂが重なる。この状態でバックル機構３の揺動体４を持ち上げるようにして倒すと、揺動体４の係止部４ａが突部５を乗り越えて嵌り延部１ｂとの間に段部８ｂを挟み込む。これにより、バックル機構３は被取付部１に身体支持体２を固定する。即ち、身体支持体２をワンタッチで固定することができる。このバックル機構３でも、座本体７を掴んで持ち上げてもバックル機構３が意図せずに外れることがないこと、座本体７の下に手を入れる方向との関係でバックル機構３が外れにくいこと、バックル機構３による固定であり強固な固定ができることは図１の椅子と同様である。
【００６７】
バックル機構３による固定を解除する場合には、揺動体４を椅子の幅方向外側に揺動させて起こせば良い。揺動体４を起こすことで、係止部４ａが突部５を乗り越えて外れ、ワンタッチ操作で身体支持体２の固定を解除することができる。
【００６８】
身体支持体２の位置を後寄りの位置に調節する場合には、身体支持体２を被取付部１から外し、係合凸部１９を後側の係合スリット２１に挿入し直した後、バックル機構３によって固定すれば良い。係合スリット２１を後側の係合スリット２１に挿入することで、図１９中２点鎖線で示すように、延部１ｂの後寄りの位置に段部８ｂが重なり、全体として後側にずれた位置に身体支持体２が固定される。このように、身体支持体２を簡単に位置調節することができる。
【００６９】
また、身体支持体２を例えば枠体とメッシュ地の表皮部材から構成する等して風を通す構造にすると共に、身体支持体２の裏側に例えば扇風機等の送風機を設けるようにしても良い。この通風構造・送風機付きの身体支持体２に交換することで、着座者に風を送ることができる。したがって、夏場等にこの通風構造・送風機付きの身体支持体２を使用することで、身体支持体２と着座者との接触部分に熱がこもるのを防止することができ、座り心地を向上させることができる。
【図面の簡単な説明】
【００７０】
【図１】本発明の椅子の実施形態の一例を示す背面図である。
【図２】同椅子の側面図である。
【図３】図２のIII−III線に沿う断面図である。
【図４】図３のバックル機構を締める様子を示す断面図である。
【図５】図３のバックル機構を締める様子を示し、図４に続く状態の断面図である。
【図６】図１のVI−VI線に沿う断面図である。
【図７】図６のバックル機構を締める様子を示す断面図である。
【図８】図６のバックル機構を締める様子を示し、図７に続く状態の断面図である。
【図９】身体支持体の上部を被取付部に取り付ける様子を示す断面図である。
【図１０】バックル機構の第１の変形例を示し、その揺動体の背面図である。
【図１１】バックル機構の第１の変形例を示す断面図である。
【図１２】バックル機構の第２の変形例を示す側面図である。
【図１３】同バックル機構の正面図断面図である。
【図１４】同バックル機構を外した状態の側面図である。
【図１５】バックル機構の第３の変形例を示し、（Ａ）は締め付けた状態の断面図、（Ｂ）は外した状態の断面図である。
【図１６】引っ掛け位置決め機構を示し、（Ａ）は外した状態の断面図、（Ｂ）は位置決めを行っている状態の断面図である。
【図１７】前後位置調節機構を備えた被取付部を示す斜視図である。
【図１８】前後位置調節機構を備えた身体支持体を示し、当該身体支持体を裏返した状態の斜視図である。
【図１９】前後位置調節機構を備えている場合のバックル機構の正面図である。
【図２０】前後位置調節機構の係合凸部と係合スリットの関係を示す断面図である。
【図２１】従来の椅子の背の取り付け構造を示し、シェルとクッション体とを分離した状態の断面図である。
【図２２】従来の椅子の背の取り付け構造を示し、シェルとクッション体とを分離した状態の斜視図である。
【図２３】従来の椅子の背の取り付け構造を示し、有頭軸を嵌め込む孔を示す図である。
【符号の説明】
【００７１】
１  被取付部
２  身体支持体
３  バックル機構
４  揺動体
４ａ  係止部
５  突部
１７  引っ掛け部材
１８  収納スペース
３２  脚
Ｙ  被取付部から身体支持体を外す方向Ｘと異なる方向
【図１】
0005285922.tif 000002
【図２】
0005285922.tif 000003
【図３】
0005285922.tif 000004
【図４】
0005285922.tif 000005
【図５】
0005285922.tif 000006
【図６】
0005285922.tif 000007
【図７】
0005285922.tif 000008
【図８】
0005285922.tif 000009
【図９】
0005285922.tif 000010
【図１０】
0005285922.tif 000011
【図１１】
0005285922.tif 000012
【図１２】
0005285922.tif 000013
【図１３】
0005285922.tif 000014
【図１４】
0005285922.tif 000015
【図１５】
0005285922.tif 000016
【図１６】
0005285922.tif 000017
【図１７】
0005285922.tif 000018
【図１８】
0005285922.tif 000019
【図１９】
0005285922.tif 000020
【図２０】
0005285922.tif 000021
【図２１】
0005285922.tif 000022
【図２２】
0005285922.tif 000023
【図２３】
0005285922.tif 000024